(57)【要約】【課題】撮影前にシャッタ速度，絞り等の違いによる被写体画像の効果を表示部に表示可能にすることにより、撮影画像と同じ画像を予め確認することができるディジタル一眼レフカメラを提供する。【解決手段】電子プレビュースイッチ２８が操作されると、ＣＰＵ２１はその信号を検知してミラー駆動装置２２によりメインミラーなどの反射ミラー系を上昇させ、シャッタを開く。露出モードに従った露光条件で撮像素子１３は被写体像を取り込み、画像処理装置１４で所定の処理が施され、表示データ処理装置１５によって撮影画像と同じ露光条件の画像が表示装置１６に表示される。電子プレビュー中に露光条件のパラメータが変更された場合には、そのパラメータで演算された画像が表示される。レリーズ操作がなされるまで、この表示が繰り返される。【選択図】        図１
2005010643.tif 000002
【特許請求の範囲】
【請求項１】
撮像素子と、前記撮像素子に露光された画像データを表示する表示装置と、撮影の際の被写体像を確認するための光学ファインダと、前記被写体の反射光を前記光学ファインダに導く位置と前記撮像素子へ導くために退避する位置との間を可動する反射ミラー系を備えるディジタル一眼レフカメラにおいて、
モード切替スイッチ手段を有し、
前記モード切替スイッチ手段により電子プレビューが選択された場合、その選択信号を検知して前記反射ミラー系を前記退避位置まで駆動する駆動手段と、
前記反射ミラー系の前記退避状態において、所定の露光条件により前記撮像素子に露光された画像データを、前記表示装置に表示する手段と、
を有することを特徴とするディジタル一眼レフカメラ。
【請求項２】
前記請求項１記載のディジタル一眼レフカメラにおいて、
前記反射ミラー系が前記被写体の反射光を前記光学ファインダに導く位置にあるとき被写体光量が測定可能で、前記反射ミラー系が退避位置に移動したとき測光不能となる測光装置と、
前記測光装置から得られた測光値から露光条件を算出する露光条件演算装置と、
前記モード切替スイッチ手段により電子プレビューが選択されたとき前記測光装置から得られた測光値を記憶する記憶手段とを備え、
前記記憶手段に記憶された測光値によって前記所定の露光条件を算出することを特徴とするディジタル一眼レフカメラ。
【請求項３】
前記請求項２記載のディジタル一眼レフカメラにおいて、
前記光学ファインダの接眼部分に外光が該光学ファインダ内に入射することを阻止するアイピースシャッタと、
前記アイピースシャッタの開閉を駆動する駆動装置を備え、
前記記憶手段は前記モード切替スイッチ手段により電子プレビューが選択されたとき前記アイピースシャッタが閉じてから少なくとも１回以上の測光動作が行われた後にその測光値を記憶することを特徴とするディジタル一眼レフカメラ。
【請求項４】
前記請求項１または２記載のディジタル一眼レフカメラにおいて、
露光条件のパラメータを変更するパラメータ変更手段を有し、
露光された画像データを所定の間隔で前記表示装置に表示する間に前記パラメータ変更手段によりパラメータが変更された場合、該変更されたパラメータで前記露光条件演算装置により露光条件を演算することを特徴とするディジタル一眼レフカメラ。
【請求項５】
請求項４記載のディジタル一眼レフカメラにおいて、
前記露光条件のパラメータは、露光時間，絞り値，露出補正量，プログラムシフト量，増幅率またはホワイトバランスであること特徴とするディジタル一眼レフカメラ。
【請求項６】
請求項１記載のディジタル一眼レフカメラにおいて、
マニュアル露出モードを設定可能な手段を有し、
前記マニュアル露出モードが設定された場合、該マニュアル露出モードで設定された露光条件を用いることを特徴とするディジタル一眼レフカメラ。
【発明の詳細な説明】
【０００１】
【発明の属する技術分野】
本発明はディジタル一眼レフカメラ、さらに詳しくいえば、撮影前に画像確認をするプレビュー機能を備えたディジタル一眼レフカメラに関する。
【０００２】
【従来の技術】
従来のディジタル一眼レフカメラは、撮影前に絞り，シャッタ速度などの違いによる撮影画像の変化を見ることができない。撮影した画像を確認する場合には、撮影後に撮影画像を表示装置に再生させることとなる。再生した画像が撮影者のイメージする画像と異なる場合には、この画像を破棄し、シャッタ速度，絞りなどを変えて再度撮影を行い、同様に記録画像を再生することができる。
撮影前に撮影画像がどのように写るか確認できるものとして銀塩一眼レフカメラなどのプレビュー機能が存在するが、このプレビュー機能は撮影時の絞り値に絞り込むもので焦点深度しか確認できないものである。また、このプレビュー機能は絞りによって光量が減少するため画像の詳細部の確認は困難であった。
【０００３】
一方、撮影後に記録画像を再生して確認を行う方法は、撮影の後に再生操作が必要であり操作上の煩わしさが存在する。また、一旦記録してからの再生であるので、記録媒体の記憶領域を消費するという問題があった。
撮影前に画像を確認するものとしてこの他に特許文献１が提案されている。
この提案は、一眼レフタイプの電子カメラにおいて、光学ファインダとＬＣＤ画像表示部にファインダとしての機能を与え、いずれかを選択できるようにするもので、ＬＣＤ画像表示部をファインダとした場合、ミラーアップして被写体光を撮像素子に入射させＬＣＤ画像表示部に表示する。
特許文献１のＬＣＤ画像表示機能は被写体の構図，配置などが良いか否かを確認するものであり、実際の撮影画像とは異なる、画素を間引きした画像を表示させている。そのため、実際に撮影する画像と同じ画像をＬＣＤ画像表示部で確認することは出来ない。
【特許文献１】
特開２００１−２２２０５９号公報
【０００４】
【発明が解決しようとする課題】
本発明の目的は、ディジタル一眼レフカメラにおいて、撮影前にシャッタ速度，絞り等の違いによる被写体画像の効果を表示部に表示可能にすることにより、撮影画像と同じ画像を予め確認することができるディジタル一眼レフカメラを提供することにある。
【０００５】
【課題を解決するための手段】
前記目的を達成するために請求項１記載発明は、撮像素子と、被写体の反射光を前記撮像素子に結像する撮影レンズ系と、前記撮像素子に露光された画像データを表示する表示装置と、撮影の際の被写体像を確認するための光学ファインダと、前記被写体の反射光を前記光学ファインダに導く位置と前記撮像素子へ導くために退避する位置との間を可動する反射ミラー系を備えるディジタル一眼レフカメラにおいて、モード切替スイッチ手段を有し、前記モード切替スイッチ手段により電子プレビューが選択された場合、その選択信号を検知して前記反射ミラー系を前記退避位置まで駆動する駆動手段と、前記反射ミラー系の前記退避状態において、所定の露光条件により前記撮像素子に露光された画像データを、前記表示装置に表示する手段とを有することを特徴とする。
請求項２記載の発明は、前記請求項１記載のディジタル一眼レフカメラにおいて、前記反射ミラー系が前記被写体の反射光を前記光学ファインダに導く位置にあるとき被写体光量が測定可能で、前記反射ミラー系が退避位置に移動したとき測光不能となる測光装置と、前記測光装置から得られた測光値から露光条件を算出する露光条件演算装置と、前記モード切替スイッチ手段により電子プレビューが選択されたとき前記測光装置から得られた測光値を記憶する記憶手段とを備え、前記記憶手段に記憶された測光値によって前記所定の露光条件を算出することを特徴とする。
請求項３記載の発明は、前記請求項２記載のディジタル一眼レフカメラにおいて、前記光学ファインダの接眼部分に外光が該光学ファインダ内に入射することを阻止するアイピースシャッタと、前記アイピースシャッタの開閉を駆動する駆動装置を備え、前記記憶手段は前記モード切替スイッチ手段により電子プレビューが選択されたとき前記アイピースシャッタが閉じてから少なくとも１回以上の測光動作が行われた後にその測光値を記憶することを特徴とする。
請求項４記載の発明は、前記請求項１または２記載のディジタル一眼レフカメラにおいて、露光条件のパラメータを変更するパラメータ変更手段を有し、露光された画像データを所定の間隔で前記表示装置に表示する間に前記パラメータ変更手段によりパラメータが変更された場合、該変更されたパラメータで前記露光条件演算装置により露光条件を演算することを特徴とする。
請求項５記載の発明は、請求項４記載のディジタル一眼レフカメラにおいて、前記露光条件のパラメータは、露光時間，絞り値，露出補正量，プログラムシフト量，増幅率またはホワイトバランスであること特徴とする。
請求項６記載の発明は、請求項１記載のディジタル一眼レフカメラにおいて、マニュアル露出モードを設定可能な手段を有し、前記マニュアル露出モードが設定された場合、該マニュアル露出モードで設定された露光条件を用いることを特徴とする。
【０００６】
【作用】
上記構成によれば撮影前に撮影画像と同じ画像を繰り返し表示装置で見ることができ、シャッタ速度，絞り，ゲイン，露出補正量，プログラムシフト量などの効果を画像として確認することができる。また、電子プレビュー開始時のＡＥロックした状態で表示装置に表示させることができる。さらにマニュアル露出モードでの設定も可能である。
【０００７】
【発明の実施の形態】
以下、図面を参照して本発明の実施の形態を詳しく説明する。
図１は、本発明によるディジタル一眼レフカメラの実施の形態を示す概略図、図２は、カメラ本体機構のレイアウトを説明するための断面図であり、両図には本発明に直接関連する部分のみが記載されている。
ディジタル一眼レフカメラ１は、カメラ本体１ａと交換レンズ１ｂより構成され、交換レンズ１ｂのカメラ本体１ａへの装着によって交換レンズ１ｂ内のＣＰＵ６とカメラ本体１ａ内のＣＰＵ２１は通信可能となる。
ＣＰＵ６は、フォーカスレンズ２および絞り３をＡＦモータ４および絞りモータ５によってそれぞれ駆動制御する。
【０００８】
図示しない被写体からの反射光は、交換レンズ１ｂを通りメインミラー７で反射してフォーカシングスクリーン３４（図２参照）上に結像する。フォーカシングスクリーン３４上の被写体像はペンタプリズム８で接眼レンズ３２に導かれるとともに正立像に変換される。ペンタプリズム８を経由した被写体像の一部は測光センサ９に導かれる。光学ファインダ１０に入射した被写体像はアイピースシャッタ１１を通過して図示しない撮影者の目に入射する。光学ファインダ１０の接眼レンズ３２（図２参照）によって撮影者は被写体の正立虚像を観察することができる。
【０００９】
一方、メインミラー７に入射する被写体光の一部はサブミラー１２まで達し、該サブミラー１２で下部に導かれＡＦモジュール内（図２参照）のＡＦセンサ１９に入射する。測距演算装置２０はＡＦセンサ１９からの測距データに基づき被写体までの距離を演算する。ＣＰＵ２１は現在のレンズ位置と被写体までの距離からデフォーカス量を算出し、合焦位置までのレンズ駆動データを導き出し、このデータをＣＰＵ６に転送する。ＣＰＵ６は転送データにしたがってＡＦモータ４を駆動制御しフォーカスレンズ２を合焦位置にもたらす。
【００１０】
測光センサ９からの測光値は露出演算装置２５に入力され、該露出演算装置２５で露出値が演算される。ＣＰＵ２１はこの露出値によって適正露光量になるように絞り値を決定する。この絞り値データはＣＰＵ６に転送され、該ＣＰＵ６は絞り３が決定された絞り値になるように絞りモータ５を駆動制御する。
通常の撮影では、ＣＰＵ２１はレリーズスイッチ２６から撮影信号が入力すると、ＡＥロック処理を行い、撮像素子１３をオンしミラー駆動装置２２を制御する。ミラー駆動装置２２はミラーアップモータ２３を駆動してメインミラー７および該メインミラーの裏側に配置されているサブミラー１２をミラーボックス上部に退避させる。
【００１１】
そしてシャッタ３３（図２参照）を開放し、被写体光を撮像素子１３上に結像させる。撮像素子制御装置２４はＣＰＵ２１の制御の基に適正露出対応のタイミング（シャッタ速度），ゲイン（ＩＳＯ感度）を設定し撮像素子１３に結像した画像データの電荷を読み出す制御を行う。撮像素子１３はプログレッシブタイプのＣＣＤであり、受光窓で受けた電荷は遮光部に移されてから電荷転送されるためシャッタ３３が開いている状態でも転送中の光の影響を受けないものである。撮像素子１３から読み出された画像データは画像処理装置１４で所定の処理が行われ記憶装置１７に転送される。記憶装置１７はこの画像を一時蓄積し所定のファイル形式で記録媒体１８に記録する。
画像処理装置１４で処理された画像は、表示データ処理装置１５にも送られ、表示用形式に変換処理され表示装置（ＬＣＤ）１６に表示される。
【００１２】
撮影者は、この撮影画像を確認し、満足できる画像でない場合、削除することができる。削除は各種設定スイッチ３１の操作により行うことができる。ＣＰＵ２１は各種設定スイッチ３１より削除指示の信号を受信すると、表示装置１６に表示されている撮影画像を記録媒体１８より消去する。
なお、撮像素子１３からの読み込みが行われると、シャッタ３３は閉じ、メインミラー７およびサブミラー１２は元の位置に復帰する。
【００１３】
電子プレビュー機能を用いた撮影では、ＣＰＵ２１は電子プレビュースイッチ２８からプレビュー信号が入力すると、アイピースシャッタ駆動モータ３５を制御してアイピースシャッタ１１を閉じる。その後、通常撮影と同様に測光センサ９，露出演算装置２５により露出演算が行われ、ＣＰＵ２１は、その露出値のＡＥロック処理を行い撮像素子１３をオンし、ミラー駆動装置２２を制御してメインミラー７，サブミラー１２を退避させシャッタ３３の開処理を行う。
ＣＰＵ２１は、撮像素子制御装置２４を制御してタイミング（シャッタ速度）およびゲイン（ＩＳＯ感度）を設定する。
【００１４】
そして結像された画像データの電荷を撮像素子１３から読み出す制御を行う。撮像素子１３から読み出された画像データは画像処理装置１４で所定の処理が行われ表示データ処理装置１５に送られ、表示用形式に変換処理され、表示装置（ＬＣＤ）１６に表示される。つぎに各種設定の読み込みを行い制御値を演算する。レリーズがなされず，プレビューがオフされない限り，この表示動作が例えば１秒間に３回繰り返される。
【００１５】
電子プレビュー機能により、撮影者は、撮影する前に実際にシャッタ速度を順番に変えそれぞれのシャッタ速度での画像を観察することができるため、どのシャッタ速度が希望する画像であるかを予め確認できる。絞りについても順番に絞っていき、画像の焦点深度を確認し、希望する絞りを選択することが可能である。その他にホワイトバランス，露出補正量，プログラムシフト量，増幅率についても同様に確認することができる。
電子プレビュー状態でレリーズスイッチ信号が入力すると、タイミング，ゲイン設定を行い、撮像素子１３から画像データを読み出し、画像処理装置１４で所定の処理した後、記憶装置１７を介して記録媒体１８に画像を格納する。
【００１６】
フォーカススイッチ２７は、フォーカスボタンが押されたとき、フォーカス信号をＣＰＵ２１に送出するものである。ＣＰＵ２１は測距演算装置２０で演算された距離データからデフォーカス量を求め、ＣＰＵ６を介してＡＦモータを駆動しフォーカスレンズ２を合焦位置にもたらす。
コマンドダイヤル３０は、いわゆる電子ダイヤルで、後述の電子補正設定ボタン４２，ＩＳＯ設定ボタン４３およびＷＢ設定ボタン４４と組み合わせて各設定などを選択するためのものである。
【００１７】
図３は、図１のディジタル一眼レフカメラのスイッチボタン類の配置を説明するための外観図である。
ディジタル一眼レフカメラ１の右上面にはカメラ情報を表示するＬＥＤパネル４６，レリーズボタン３５が配置され、その前面側にはコマンドダイヤル４５が設けられている。左上面には電子補正設定ボタン４２，ＩＳＯ設定ボタン４３およびＷＢ設定ボタン４４が配置されている。電子補正設定ボタン４２を押し、コマンドダイヤル４５を操作することにより例えばＥＶ値±０．３，±０．６，±１．０，±１．５・・・に調整可能である。ＩＳＯ設定ボタン４３を押し、コマンドダイヤル４５を操作することにより例えばＩＳＯ５０，１００，２００，４００，８００・・・に調整可能である。ＷＢ設定ボタン４４を押し、コマンドダイヤル４５を操作することにより例えばＡＵＴＯ，ストロボ光，蛍光光，８２００Ｋ・・・に調整可能である。
【００１８】
ディジタル一眼レフカメラ１の背面中央付近には表示装置（ＬＣＤ）３９が設けられ，その上部に光学ファインダ４０が配置されている。
表示装置（ＬＣＤ）３９の右側には電子プレビューボタン３７が配置されている。さらにその右上にフォーカスボタン３６が配置されている。各種設定ボタン４１は表示装置（ＬＣＤ）３９の左側に配置されている。
【００１９】
図４は、本発明によるディジタル一眼レフカメラの撮影動作を説明するためのフローチャートである。
以下、撮影シーケンスに従って電子プレビュー機能を用いた撮影と通常撮影の動作の流れを説明する。
撮影者は各種設定ボタン４１を用いて露出モードを設定することができる。絞り優先，シャッタ優先，プログラム，マニュアルなどのモードである。絞り優先およびシャッタ優先モードの場合、絞りおよびシャッタ速度をそれぞれマニュアルで選択でき、電子プレビュー中に絞りおよびシャッタ速度を変更したときは、その変更した撮影画像を観察できる。プログラムモードの場合、電子プレビューであるときは、ロックしたＡＥ値に併せてプログラムがシフトする。マニュアルモードの場合は、設定したシャッタ速度，絞りを反映した撮影画像がプレビューできる。
【００２０】
ＣＰＵ２１はまず露出モードを読み込み（ステップ（以下「Ｓ」という）００１）、電子プレビューボタンが押されたか否かを判断する（Ｓ００２）。
電子プレビューボタン２８が押された場合、アイピースシャッタを閉じる処理を行う（Ｓ００３）。そして測光制御，露出演算を行った（Ｓ００４，Ｓ００５）後、ＡＥロック処理を行う（Ｓ００６）。
ついで、撮像素子オン処理，ミラーアップ処理，シャッタ開処理が行われる（Ｓ００７〜Ｓ００９）。
【００２１】
ＣＰＵ２１の制御の下、撮像制御装置２４は測定された適正露出に対するタイミング（シャッタ速度），ゲイン（ＩＳＯ感度）を設定し（Ｓ０１０）、露光，転送，ＬＣＤ表示処理を行う（Ｓ０１１）。つぎに各種設定（パラメータ）の読み込みを行う。例えば、シャッタ速度，絞り値，露出量補正，ＩＳＯ感度，ホワイトバランスなどを読み込む。このプレビュー状態で、撮影者がパラメータの変更を行えば、その変更値が読み込まれ演算が行われる（Ｓ０１２）。パラメータ変更例としてシャッタ速度優先モードでシャッタ速度１／６０秒，絞り８の状態にあった場合、シャッタ速度を１／１２５秒に変更すれば、絞り値は５．６になる。
【００２２】
つぎにレリーズがオンしたか否か判断する（Ｓ０１３）。レリーズがオンであれば、Ｓ０２２〜Ｓ０２４によって撮影が行われる。レリーズがオフであれば，ついでプレビューがオフされたか否かを判断する（Ｓ０１４）。プレビューがオフされた場合には開始位置に戻る。プレビューがオフでない場合にはＳ０１０に移行する。レリーズがオフで，プレビューが解除されない限り、Ｓ０１０〜Ｓ１４のループが繰り返し実行される。撮像素子は上述したようにプログレッシブ方式であるため、転送経路中で新たな電荷が加わわることはなく、誤差なく各画像の電荷を転送することができる。したがって、電子プレビュー中は撮影画像と同じ画像を観察でき、撮影条件を変えることもできる。
【００２３】
一方、電子プレビューボタンが押されていない場合、測光制御，露出演算を行い（Ｓ０１５，Ｓ０１６）、つぎにレリーズボタン３５が押されたか否か判断する（Ｓ０１７）。レリーズボタン３５が押されていない場合、開始位置に戻る。レリーズボタン３５が押された場合には、ＡＥロック処理，撮像素子オン処理，ミラーアップ処理，シャッター開処理を行う（Ｓ０１８〜Ｓ０２１）。そしてタイミング，ゲイン設定を行い（Ｓ０２２）、露光後、シャッタを閉じ，転送，記録処理をして撮影画像を記録媒体１８に格納する（Ｓ０２３，Ｓ０２４）。
【００２４】
【発明の効果】
以上、説明したように本発明によれば、撮影前に撮影画像と同じ画像を繰り返し表示装置で観察でき、シャッタ速度，絞り，ゲイン，露出補正量，プログラムシフト量などの効果を画像として確認することができる。また、電子プレビュー開始時のＡＥロックした状態で撮影画像を表示装置に表示させることができる。さらにマニュアル露出モードで設定した条件での撮影画像の表示も可能である。
【図面の簡単な説明】
【図１】本発明によるディジタル一眼レフカメラの実施の形態を示す概略図である。
【図２】カメラ本体機構のレイアウトを説明するための断面図である。
【図３】図１のディジタル一眼レフカメラのスイッチボタン類の配置を説明するための外観図である。
【図４】本発明によるディジタル一眼レフカメラの撮影動作を説明するためのフローチャートである。
【符号の説明】
１  ディジタル一眼レフカメラ
２  フォーカスレンズ
３  絞り
４  ＡＦモータ
５  絞りモータ
６，２１  ＣＰＵ
７  メインミラー
８  ペンタプリズム
９  測光センサ
１０  光学ファインダ
１１  アイピースシャッタ
１２  サブミラー
１３  撮像素子
１４  画像処理装置
１５  表示データ処理装置
１６  表示装置（ＬＣＤ）
１７  記憶装置
１８  記録媒体
１９  ＡＦセンサ
２０  測距演算装置
２２  ミラー駆動装置
２３  ミラーアップモータ
２４  撮像素子制御装置
２５  露出演算装置
２６  レリーズスイッチ
２７  フォーカススイッチ
２８  電子プレビュースイッチ
３０  コマンドダイヤル（電子ダイヤル）
３１  各種設定スイッチ
【図１】
2005010643.tif 000003
【図２】
2005010643.tif 000004
【図３】
2005010643.tif 000005
【図４】
2005010643.tif 000006